(57)【要約】【課題】快適な熱的環境に空調されている室から空調されていない室に送風することによって、住宅全体を換気しながら空調されていない室の熱的環境を改善する換気システムを提案する。【解決手段】  各室に設けられている温度検出手段と湿度検出手段と、各室の比エンタルピーを計算する手段と、各室の比エンタルピーの序列を入力して換気経路を出力する経路決定エンジンを備えている。冬季であれば比エンタルピーの高い室から低い室に向かって序列が付けられる。夏季であれば比エンタルピーの低い室から高い室に向かって序列が付けられる。経路決定エンジンは、序列が上位な室から下位の室に向かう換気経路を出力する。住宅全体を換気する空気の流れが、冬季であれば住宅全体の暖房・加湿に寄与し、夏季であれば住宅全体の冷房・除湿に寄与する換気経路に決定される。【選択図】  図１
2006064312.tif 000002
【特許請求の範囲】
【請求項１】
複数の室を持つ住宅のための換気システムであり、
室と室の間で双方向に送風可能な送風手段と、
各室に設けられている温度検出手段と湿度検出手段と、
各室の比エンタルピーを計算する手段と、
各室の比エンタルピーの序列を入力して換気経路を出力する経路決定エンジンと、
経路決定エンジンが出力する換気経路に従って前記送風手段群を制御する制御手段と、
を備えている換気システム。
【請求項２】
各室に設けられている空気汚染度の検出手段と、
空気汚染が検出された室を、経路決定エンジンに入力する序列から除外する手段と、
が付加されている請求項１の換気システム。
【請求項３】
複数の室を持つ住宅のための換気システムであり、
室と室の間で双方向に送風可能な送風手段と、
各室に設けられている温度検出手段と湿度検出手段と空気汚染度の検出手段と、
各室の比エンタルピーを計算する手段と、
各室の比エンタルピーの序列と空気汚染が検出された室を入力して換気経路を出力する経路決定エンジンと、
経路決定エンジンが出力する換気経路に従って前記送風手段群を制御する制御手段と、
を備えている換気システム。
【請求項４】
経路決定エンジンは、各送風手段の送風方向と送風量を、制御手段に指示することを特徴とする請求項１から３のいずれかの換気システム。
【請求項５】
経路決定エンジンは、結果的に各室に外気を導入することになる送風量を指示することを特徴とする請求項４の換気システム
【発明の詳細な説明】
【技術分野】
【０００１】
本発明は、複数の室を備えている住宅のための換気システムに関する。
【背景技術】
【０００２】
住宅（独立家屋のみならず、マンション・アパート等の集合住宅を含む）の高気密化によって、住宅内を積極的に換気する必要性が高まっている。
室と室の間に双方向に送風可能な送風手段を設置することによって、快適な熱的環境に空調されている室の空気を、それほど快適には空調されていない室を通過させてから住宅外に排気することが可能となる。ここでいう双方向とは、経時的に送風方向を逆転できることを言い、同時に双方向である必要はない。双方向の送風手段には、単一の送風手段が運転方向を逆転することによって送風方向を逆転する装置のみならず、一方向にのみ送風可能な送風手段の一対を逆向きに配置することによって双方向に送風可能としている装置が含まれる。また快適な熱的環境に空調されている室という場合、空調装置によって人工的に空調されている室のみならず、太陽熱等によって快適に暖められている室、あるいは日陰等にあって涼しい室等を含む。熱的環境という場合には、温度と湿度の両者を言う。快適な熱的環境とは、温度と湿度の両者が快適な領域にあることをいう。上記の技術によると、快適な熱的環境に空調されている室を換気することによって、それほど快適には空調されていない室の熱的環境を改善することが可能となる。
２室からなる住宅について、空調されている室から空調されていない室に送風することによって、空調されている室を換気しながら空調されていない室を間接的に空調する技術が特許文献１に記載されている。ただし特許文献１はまだ公開されていないことに留意されたい。この技術では、各室で温度と湿度を測定する。２室間の温度差が大きいときや、２室間の湿度差が大きいとき等に室間送風ファンを運転し、空調されている室から空調されていない室に送風する。
【特許文献１】特願２００３−３２３１６２号
【発明の開示】
【発明が解決しようとする課題】
【０００３】
２室しか存在しなければ、温度差と湿度差を指標として、双方向の室間送風ファンの運転方向や運転の有無を制御することができる。
しかしながら、多くの住宅は３室以上を備えている。その場合には、各室の温度と湿度を指標とすると、双方向の室間送風手段の運転方向を合理的に決定することができなくなる。例えば温度を指標とすると、Ａ室からＢ室を経てＣ室に送風して換気するのが合理的であるのに対し、湿度を指標とすると、それとは異なる換気経路が合理的である場合が生じる。例えば夏季において、温度を指標とするとＡ室からＢ室に送ることによってＢ室の温度を低下させる換気経路が合理的であるのに対し、湿度を指標とするとＢ室からＡ室に送ることによってＡ室の湿度を低下させる換気経路が合理的であることがある。温度と湿度という２つの独立した指標を用いると、換気経路を決定することができない事態が発生する。
【課題を解決するための手段】
【０００４】
本発明では、複数の室（特に３室以上）を備えている住宅において、快適な熱的環境に空調されている室（前記したように人工的に空調されている場合のみならず、太陽熱等によって快適に暖められている室、あるいは日陰にあって涼しい室等を含む）から、それほど快適には空調されていない室に送風することによって、住宅全体を換気しながら、それほど快適には空調されていない室の熱的環境を改善する換気システムを提案する。住宅全体の換気と住宅全体の熱的環境の改善のために合理的な送風順序で換気する換気システムを提案する。
本発明では、温度と湿度という２つの独立変数を指標とする従来技術の問題を克服するために、空気の持つ熱的エネルギーに着目する。空気の熱的エネルギーの序列に従い、冬季であれば空気の熱的エネルギーの高い室から低い室に流れる空気の流れを作り出すことによって、住宅全体の換気を住宅全体の暖房に利用する。夏季であれば空気の熱的エネルギーの低い室から高い室に流れる空気の流れを作り出すことによって、住宅全体の換気を住宅全体の冷房に利用する。
空気の流れ順序を決定するために用いる指標を空気の熱的エネルギーとすると、１つの指標によって空気の流れ順序を決定することが可能となり、住宅全体の換気と住宅全体の熱的環境の改善に寄与する空気の流れ順序を合理的に決定することが可能となる。好ましくは、空気の熱的エネルギーを、比エンタルピーで代表させることができる。ここでいう比エンタルピーは、乾き空気１kgの持つ熱エネルギーをいい、乾き空気１kg中にｘkgの水蒸気を含んでいる温度ｔ℃の湿り空気の比エンタルピーｈは、下記の式（１）で計算することができる。
ｈ＝1.006ｔ＋（1.0805ｔ＋2501）ｘ      ・・・          式（１）
比エンタルピーは、温度と湿度という２つの独立変数を、空気の持つ熱的エネルギーに統合化した指標であり、これを指標として住宅全体を換気する空気の流れ順序を決定すると、（冬季であれば比エンタルピーが高い室から低い室に向かう順序を決定し、夏季であれば比エンタルピーが低い室から高い室に向かう順序に決定する）、住宅全体を換気する空気の流れが、住宅全体の暖房（冬季）と住宅全体の冷房（夏季）に利用できる。
【０００５】
本発明では、比エンタルピーの序列に従って住宅全体を換気する空気の流れ順序を決定するが、さらに別の指標を加味することを排除しない。
例えば特定の室の二酸化炭素濃度やホルムアルデヒド濃度が高いことがありえる。汚染された空気については、住宅全体の空調に利用するよりも、直接的に排気することが好ましいこともある。あるいは汚染された室については、住宅全体を換気する空気の流れ順序の最下流に位置づけ、住宅外から取り込む新鮮空気と室間をたどった換気空気の両者を汚染された室に導入することによって、迅速に換気するようにすることが好ましいことがある。
本発明では、基本的には比エンタルピーの序列に従って住宅全体を換気する空気の流れ順序を決定するが、さらにそのうえに、例えば室毎の空気汚染の有無、室毎の在室と不在の別、室毎の目標空調温度と実際温度との差等の指標を加味して、実際の流れ順序を決定することを排除しない。本発明は、比エンタルピーの序列のみに従って空気の流れ順序を決定する技術に限定されるものでなく、比エンタルピーの序列に加えて他の指標をも加味して空気の流れ順序を決定する技術をも含むものである。他の指標を加味するとしても、温度と湿度という２つの独立変数に加えて他の指標を加味する場合と、比エンタルピーという統合化された一つの指標に加えて他の指標を加味する場合を比較すると、後者の方が簡単であり、本発明の利点が享受される。
【０００６】
（課題を解決するための一つの手段）
本発明では、複数の室を持つ住宅のための新規で有用な換気システムを実現する。この換気システムは、室と室の間で双方向に送風可能な送風手段と、各室に設けられている温度検出手段と湿度検出手段と、各室の比エンタルピーを計算する手段と、各室の比エンタルピーの序列を入力して換気経路を出力する経路決定エンジンと、経路決定エンジンが出力する換気経路に従って前記送風手段群を制御する制御手段とを備えている。ここでいう換気システムは、住宅全体を換気するとともに換気のための空気の流れによって住宅全体の熱的環境を改善するものであって、単に換気だけのためのものではないが、簡単のために換気システムということにする。
（その作用と効果）
本発明では、各室に設けられている温度検出手段と湿度検出手段によって温度と湿度を検出する。本発明では、検出された温度と湿度をそのまま利用するのではなく、両者を統合して1つの指標に変換する。このために、各室の比エンタルピーを計算する手段を用意しておく。比エンタルピーは、前記した式（１）で計算することができるが、湿度検出手段が検出する物理量に応じて、次の工程を経ることがある。
（１）乾球温度と湿球温度を検出したら、その温度差と乾球温度から相対湿度を計算する
（２）乾球温度から乾き空気１kgあたりの飽和水蒸気量を計算する
（３）その飽和水蒸気量に相対湿度を乗じて、乾き空気１kgあたりに含まれる水蒸気質量ｘkgを計算する
（４）式（１）から、比エンタルピーを計算する。
湿度検出手段が相対湿度を検出するものであれば（１）を省略することができ、乾き空気１kgあたりに含まれる水蒸気質量ｘkgを直接検出するものであれば（１）から（３）を省略することができる。湿度検出手段は、乾き空気１kgあたりに含まれる水蒸気質量を計算するのに必要な指標を検出できるものであれば、特に制限されない。
経路決定エンジンは、各室の比エンタルピーの序列に従って換気経路を決定する。冬季であれば比エンタルピーの高い室から低い室に向かって序列が付けられる。夏季であれば比エンタルピーの低い室から高い室に向かって序列が付けられる。いずれの場合も、経路決定エンジンは、序列が上位な室から下位の室に向かう換気経路を出力する。
この結果、住宅全体を換気する空気の流れが、冬季であれば住宅全体の暖房に寄与し、夏季であれば住宅全体の冷房に寄与する換気経路に決定される。
ここで重要なことは、経路決定エンジンが比エンタルピーという指標に基づいて換気経路を決定することであり、温度と湿度という独立した２変数に依拠しないことである。冬季であれば住宅全体の暖房に寄与し、夏季であれば住宅全体の冷房に寄与する換気経路を決定することができる。
【０００７】
（課題を解決するための一つの好ましい手段）
この発明は、経路決定エンジンによって換気経路を決定するのに先立って、前処理することを排除しない。例えば空気が汚染された室については、経路決定エンジンに入力する序列から除外することによって、汚染された空気を他室に排気しない経路が決定されるように措置することができる。
このためには、前記した換気システムに、各室に設けられている空気汚染度の検出手段と、空気汚染が検出された室を経路決定エンジンに入力する序列から除外する手段が付加されていることが好ましい。
空気汚染度は、二酸化炭素濃度、一酸化炭素濃度、ホルムアルデヒド濃度等によって代表することができる。
前処理では、在室と不在室の別、目標空調温度と実際温度の比較結果等を用いて前処理することもできる。あるいは、経路決定エンジンが決定した換気経路を、別の要素を加味して修正することを排除しない。例えば経路決定エンジンが決定した換気経路に空気が汚染された室が含まれている場合には、汚染された室を換気経路から除外するように修正してもよい。あるいは不在室が含まれている場合には、不在室を換気経路から除外するように修正してもよい。
請求項１の発明は、請求項２の発明のみならず、その他の前処理や後処理を含む技術を包含することに留意されたい。
【０００８】
（課題を解決するための他の一つの手段）
経路決定エンジンは、各室の比エンタルピーの序列と空気汚染が検出された室の両者を入力して換気経路を出力するものであってもよい。
各室の温度と湿度と空気汚染が検出された室の３指標を入力して換気経路を決定する場合に比すると、各室の比エンタルピーの序列と空気汚染が検出された室の２指標を入力して換気経路を決定するほうが、合理的な換気経路を決定しやすい。
【発明を実施するための最良の形態】
【０００９】
以下に説明する実施例の主要な特徴を最初に列記する。
（形態１）住宅は３室以上を持ち、各室に続く廊下を持ち、廊下に続く浴室を持つ。各室には吸気口が形成されている。室と室の間には双方向の室間送風ファンが設けられている。室と廊下の間には室から廊下に排気する一方向の排気ファンが設けられている。浴室には、浴室から住宅外に排気する一方向の排気ファンが設けられている。
（形態２）前記排気ファン群を運転すると、各室に外気が取り込まれ、室から廊下と浴室を経て住宅外に排気する換気経路が完成する。
（形態３）ある室の比エンタルピーと他の室の比エンタルピーの間に有意な差が生じると、室間の双方向の送風ファンが作動し、序列の高い室から序列の低い室に向かう空気の流れが加算される。
（形態４）双方向の室間送風ファンの送風方向の切換えによって、室から室に流れる換気経路が切換えられる。
（形態５）浴室から住宅外に排気する排気ファンは、浴室乾燥暖房機に組込まれている。
【実施例】
【００１０】
以下で説明するいくつかの実施例の前提となる住宅を最初に説明する。図1は、住宅の平面図を示しており、３つの室Ａ，Ｂ，Ｃと廊下と浴室（トイレを併設している）を備えている。この住宅は、独立家屋であることもあれば、マンション等の集合住宅であることもある。室Ａ，Ｂ，Ｃのそれぞれは外気に面しており、室内から排気されるとそれを補うために、吸気口２Ａ，２Ｂ，２Ｃから外気が導入される。室Ｂは室Ａ，Ｃの２倍の容積を持っている。
室Ａと室Ｂの間の壁には、双方向の室間送風ファンIF001が設けられている。双方向の室間送風ファンIF001は回転方向を逆転させることによって、室Ａの空気を室Ｂに送風したり、室Ｂの空気を室Ａに送風したりすることができる。室Ｂと室Ｃの間の壁にも、双方向の室間送風ファンIF003が設けられている。室Ａと室Ｃの間には、天井裏ダクトが設けられており、その天井裏ダクトに双方向の室間送風ファンIF002が設けられている。一方向に送風する送風ファンの一対を逆向きに組合わせることによって双方向の室間送風ファンIF001, IF002, IF003としてもよい。IF001とIF003は必ずしも壁つけのファンである必要はなく、天井裏ダクトとともに用いることもできる。
各室Ａ，Ｂ，Ｃと廊下の間には各室から廊下に空気を送り出す排気ファンIF004, IF005, IF006が設けられている。廊下と浴室の間には空気の流通を許容する開口が設けられている。浴室には浴室から住宅外に排気する排気ファンBF001が設けられている。排気ファンBF001は浴室乾燥暖房機に組込まれている。上記の双方向の室間送風ファンIF001, IF002, IF003,と排気ファンIF004, IF005, IF006, BF001は、制御装置１４に接続されている。
各室には、温度センサ４と湿度センサ６が設けられている。室Ａ，Ｂ，Ｃに共通であることから、添え字Ａ，Ｂ，Ｃを省略して説明する。湿度センサ６は、湿球温度センサと、温度センサ４を兼ねる乾球温度センサで構成することもできる。各室の温度センサ４と湿度センサ６の検出値は、比エンタルピー計算装置８に入力される。比エンタルピー計算装置８は、各室の比エンタルピーを計算する。各室の比エンタルピーは、前記した式（１）で計算することができる。図２は湿り空気線図を例示しており、高温多湿な空気ほど右上にプロットされる。即ち、空気が持っている熱的エネルギーが高いほど、右上にプロットされる。比エンタルピーは、右上で高く、左下で小さな値を持つ。
比エンタルピー計算装置８が各室の比エンタルピーを計算すると、序列付け手段１０によって、計算された比エンタルピーに従って室が序列付けられる。冬期には高温多湿な空気を住宅内で利用するため、比エンタルピーが高い順に序列が付される。夏季は低温乾燥な空気を住宅内で利用するため、比エンタルピーが低い順に序列が付される。各室の比エンタルピーは時間ごとに変動するため、これに追従するために一定の時間間隔（例えば５分間隔）をもって温室度の検知と比エンタルピーの算出を繰り返しおこなう。
【００１１】
（換気のために基本運転状態）
この実施例では、住宅全体を換気するために、下記を基本運転状態とする。基本運転状態は、図４の最上段に示されている。図４において、横軸には双方向の室間送風ファンIF001, IF002, IF003の運転状態の有無と、送風方向を示し、その右側には廊下に排気する排気ファンIF004, IF005, IF006の運転状態の有無を示し、その右側には結果的に各室に導入される空気量を示し、最も右側に結果として得られる換気経路を示している。図４の数字は、送風ファンによる送風量を示しており、単位はm3/hである。浴室から住宅外に排気する排気ファンBF001の送風量は、排気ファンIF004, IF005, IF006の送風量の合計（外気導入量の合計に等しい）に等しく調整される。図４の縦軸には、室毎の比エンタルピーの序列が場合分けされている。この実施例では、比エンタルピーの相違が１０％未満である場合には、有意な差がなく同位であるとする。有意な差とする限界数値については、実際の施工時にチューニングして決定するものとする。
図４の最上段に示されている基本運転状態は、比エンタルピーによる序列の欄に示されているように、各室の比エンタルピーがほぼ同じであり、各室の比エンタルピーの相違が１０％未満のときに実行される。すべての室が同位であるときには、基本運転状態が採用される。
図４の表中の空欄は双方向の室間送風ファンが運転されないことを示し、横棒は基本運転状態では運転される排気ファンの運転が停止されることを示す。
基本運転状態では、双方向の室間送風ファンIF001, IF002, IF003は運転されない。各室から廊下に排気する排気ファンIF004, IF005, IF006のみが運転される。浴室の排気ファンBF001は、廊下に排気される全量を住宅外に排気する能力で運転される。
排気ファンBF001による換気量は、建築基準法施行令第２０条に定められる各室の必要換気量を満足する。浴室の排気ファンBF001のみで各室に必要な換気量を満足できる場合は、排気ファンIF004、005、006を停止してもよい。
基本運転モードでは、それぞれの室Ａ，Ｂ，Ｃから廊下と浴室を経て住宅外に排気される換気経路が得られる。各室の比エンタルピーがほぼ同じであり、住宅全体の比エンタルピー分布を均質化するために、他の室を通過する換気経路を確保する必要がない。
【００１２】
（第１実施例）
図１の（Ｂ）に示すように、第１実施例では、経路決定エンジン１２が、比エンタルピーによる序列に従って、換気経路を決定する。基本的な換気経路にプラスして、住宅内の室毎の比エンタルピーの相違状態を解消する換気の流れを作り出す。図３は、第１実施例の処理手順を示している。
図４は、比エンタルピーによる序列に従って切換えられる換気経路と、それを実現する送風ファン群の運転状態を示している。ここでは３室の比エンタルピーが同位でなく、１番目から３番目までの序列がつく場合の運転状態を示す。序列１と序列２の間に設けられている双方向の室間送風ファンを、序列１から序列２の室に空気を送る向きに運転し、序列２と序列３の間に設けられている双方向の室間送風ファンを、序列２から序列３の室に空気を送る向きに運転し、序列１の室から廊下に排気する排気ファンの運転量を序列１から序列２の室に送る空気量だけ減少させ、序列３の室から廊下に排気する排気ファンの運転量を序列２から序列３の室に送る空気量だけ増大させる。これによって、序列１の室から序列２の室と序列３の室を経由して廊下に排気する空気の流れが作り出される。この結果、序列２の室と序列３の室の比エンタルピーが序列１の室の比エンタルピーに近づけられる。住宅の全室を換気しながら、住宅の全室を快適な熱的状態に空調することができる。
例えば冬季において室Ａ、室Ｂ、室Ｃの順に比エンタルピーが減少している場合には、室Ａ，Ｂ，Ｃの序列は、１，２，３の序列となる。夏季において室Ａ、室Ｂ、室Ｃの順に比エンタルピーが上昇している場合には、室Ａ，Ｂ，Ｃの序列は、１，２，３の序列となる。この場合には、室Ａから室Ｂに空気を送る向きに双方向の室間送風ファンを運転し、室Ｂから室Ｃに空気を送る向きに室間送風ファンを運転し、室Ａから廊下に排気する排気ファンの運転を停止し、室Ｃから廊下に排気する排気ファンの運転を増速する。これによって、室Ａから室Ｂと室Ｃを経由して廊下に排気する空気の流れが作り出される。これによって、室Ｂと室Ｃの比エンタルピーが室Ａの比エンタルピーに近づけられる。室Ａを換気する空気の流れが、室Ｂと室Ｃを、冬季であれば暖房し、夏季であれば冷房することに流用される。住宅の全室を換気しながら、住宅の全室を快適な熱的状態に空調することができる。
前記したように、比エンタルピーの相違が１０％未満である場合に同位であるとする。この場合は、上位が１室で下位が２室のケースと、上位が２室で下位が１室の場合が生じる。前者の場合には、上位の１室から下位の２室に向かう２系統の換気流が得られるように送風ファン群を制御する。後者の場合には、上位の２室から下位の１室に向かう２系統の換気流が得られるように送風ファン群を制御する。それに代えて、前者の場合には上位の１室から下位のいずれかの１室に向かう１系統の換気流が得られるように送風ファン群を制御してもよいし、後者の場合には、上位のいずれかの１室から下位の１室に向かう１系統の換気流が得られるように送風ファン群を制御してもよい。同位の室の中で換気経路に含める室と含めない室の選択手法には様々な選択基準を採用することができる。室と室の距離が近い方を換気経路に含める基準を採用してもよいし、逆に距離が遠い方を換気経路に含める基準を採用してもよい。いづれの場合も、上位の室から廊下に排気する送風量については、下位の室に送風する量だけ減少させる。
比エンタルピーの相違が１０％未満である場合に同位であるとすると、双方向の室間送風ファンが頻繁に運転の有無を切換えたり、頻繁に送風方向を逆転させることが防止できる。同位とするか有意な差があるとするかの境界値は、施工時において適宜決定される。
換気経路決定エンジン１２が、比エンタルピーによる室の序列を入力し、図４の表に従って換気経路を決定すると、住宅の全室を換気しながら、比エンタルピーが好適に空調されている室の空気を好適に空調されていない室を通過させてから換気することが可能となる。住宅全体の空気環境が改善される。
図１（Ｂ）に示すように、換気経路決定エンジン１２は、図４のマップに従って決定した各送風ファン毎の送風方向と送風量を、制御装置１４に指示する。制御装置１４は、その指示に従って、双方向の室間送風ファンIF001, IF002, IF003と、排気ファンIF004, IF005, IF006と、浴室排気ファンBF001の送風方向と送風量を制御する。
本実施例によると、住宅全体の換気と住宅全体の熱的環境が改善され、住む人にヒートショックを与えにくい住宅を実現することができる。高齢者や皮膚疾患者や呼吸器疾患者などの環境の変化に追従しづらい人たちに住みやすい住宅を提供することができる。
【００１３】
（第２実施例）
以下では第1実施例と相違する部分のみを説明する。第２実施例では、図５に示すように、各室にＣＯ２センサ１６が設置されている。ＣＯ２センサ１６の検出値は、汚染室特定装置１８に入力される。汚染室特定装置１８は、規定値（この実施例では3000ppm）以上のＣＯ２濃度を持つ室を特定し、その室の空気が汚染されているとする。観測するガス種や、汚染の有無の判別に用いる境界値は、住宅環境に合わせて選択することが好ましい。
汚染室特定装置１８で特定された汚染室の情報は、比エンタルピーによる序列付け手段１０Ａに入力され、汚染室を序列から除外する。この実施例では、汚染室を比エンタルピーによる序列付けから除外することによって、汚染された空気が他の室に送られることを禁止する。汚染していない室の換気経路決定エンジン１２Ａは、汚染室を比エンタルピーによる序列付けから除外した序列によって、室間の換気経路を決定する。一方において汚染された室については、汚染室の直接換気経路決定エンジン１２Ｂによって、住宅外から汚染室に外気を導入して廊下と浴室を経由し（他の室を経由しないで）住宅外に排気する換気経路を決定する。この経路は基本運転状態の換気経路に等しい。ただし、汚染された空気を短時間で換気するために、送風量を増大させる。
図６は、第２実施例の換気経路決定手順を示している。図７〜８は、汚染していない室の換気経路決定エンジン１２Ａと、汚染室の直接換気経路決定エンジン１２Ｂによって利用されるマップを示している。
図７〜８の序列の欄における×の印は、汚染室を示している。風量の欄に示される×の印は、汚染室から他の室に送風するのを禁止するために、双方向の室間送風ファンの運転が停止されることを示している。汚染室が比エンタルピーによる序列付けから除外された影響を示している。
【００１４】
（第３実施例）
この実施例では図９に示すように、汚染室の情報を換気経路決定エンジン１２Ｃに入力する。換気経路決定エンジン１２Ｃは、比エンタルピーによる序列と汚染室の情報の両者を加味して、換気経路を決定する。第１実施例と第２実施例に共通な事象については説明を省略する。
図１０は、第３実施例による換気経路決定手順を示している。比エンタルピーによる序列に従って予備決定した換気経路に汚染室が含まれている場合には、その汚染室を換気経路の末端とする。即ち、その汚染室から廊下と浴室を経て住宅外に排気する換気経路を採用し、汚染室から下位（比エンタルピーの序列において汚染室の下位にある）室に向かう換気経路を遮断する。なお室数が多い場合には、汚染室の下位にある室から続く換気経路が存在することがあり、この場合には、汚染室の下位にある室から開始する換気経路を確保する。汚染室の下位にある室がまた汚染室である場合には、後者の汚染室に導入する外気量を増加させて汚染空気の換気を促進する。換気経路の末端に位置する汚染室については、他の室から送られてくる空気が汚染空気の換気を促進するために、外気導入量を増加させる必要がない。
図１１は、比エンタルピーによる序列が、室Ｃ，Ｂ，Ｅ，Ａ，Ｄ，・・，Ｎ室であり、室Ｅが汚染されている場合を例示している。この場合には、比エンタルピーによる序列に従って予備決定した換気経路Ｃ，Ｂ，Ｅ，Ａ，Ｄ，・・，Ｎを、汚染室Ｅの下流で分離する。即ち、汚染室Ｅを最下流とする換気経路１と、汚染室Ｅの下位にある室Ａから開始する換気経路２を確保する。
図１２は、下流側の換気経路にさらに汚染室Ｄが含まれている場合を例示している。この場合には、下流側の換気経路を第２の汚染室Ｄの下流で分離する。即ち、第２の汚染室Ｄを最下流とする換気経路２と、第２の汚染室Ｄの下位にある室Ｆから開始する換気経路３を確保する。結果的に、第１の汚染室Ｅを最下流とする換気経路１と合わせて、合計３本の換気経路に分割される。
図１３は、比エンタルピーによる序列において汚染室が連続している場合を例示する。この場合、汚染室の上流に２以上の清浄室が位置していれば、それぞれの清浄室からそれぞれの汚染室に向かう２本の換気経路を作り出す。
図１４は、比エンタルピーによる序列において汚染室が連続しており、汚染室の上流に位置する清浄室の数が、連続する汚染室の数に満たない場合を例示する。この場合には、図１３のアルゴリズムを採用しても、汚染室を最下流とする換気経路を確保することができない。汚染室を最上流とする換気経路が計算されるが、汚染室からは他の室に送風しないことから、汚染室から廊下に排気する換気経路が計算される。この場合には、汚染室Ｂを最下流とする換気経路１と、その下位の汚染室Ｅを単独で換気する経路と、さらにその下位の汚染室Ａを単独で換気する経路と、その下位の室から開始する換気経路２が計算される。
図１５〜１６は、比エンタルピーによる序列と汚染室の情報の両者を加味して、換気経路を決定する換気経路決定エンジン１２Ｃによって利用されるマップを示している。
図１５〜１６の序列の欄における×の印は、汚染室を示している。風量の欄に示される×の印は、汚染室から他の室に送風するのを禁止するために、双方向の室間送風ファンの運転が停止されることを示している。換気経路決定エンジン１２Ｃは、汚染室から他の室に排気する換気経路を作り出さない。
【００１５】
第３実施例の経路決定エンジン１２Ｃは、比エンタルピーによる序列と汚染室の情報の両者を加味して、換気経路を決定する。換気経路決定エンジンに入力する指標をさらに増大させることもできる。
例えば、比エンタルピーの序列が２位の室が不在室であれば、不在室をバイパスして１位の室から３位の室に向かう換気経路を出力する経路決定エンジンを利用することもできる。比エンタルピーの序列が１位の室の室温が、希望する温度にまで暖房（冬季）または冷房（夏季）されていない場合には、比エンタルピーの序列が２位の室から開始する換気経路を出力する経路決定エンジンを利用することもできる。また比エンタルピーの序列と室毎の容積を加味して換気経路を出力する経路決定エンジンを利用することもできる。
重要なことは、熱的状態については、温度と湿度を別々に指標とするのではなく、比エンタルピーという１指標に変換することである。本発明の技術は、１指標に変換した熱的状態に加えて、汚染室の情報、不在室の情報、目標温度に達しているのかいないかの情報、室容積の情報等を加味して換気経路を決定することを排除しない。必要に応じて、経路決定エンジンに入力する他の情報（比エンタルピーの序列以外の情報）については、取捨選択することができる。
また本発明は、比エンタルピーの序列によって換気経路を決定することにあり、それを人が設定したり変更できるようにしてもよい。比エンタルピーの序列から得られる換気経路を参照して、人が変更することがありえる。
【００１６】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
また、本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【図面の簡単な説明】
【００１７】
【図１】住宅の平面図の一例と、第1実施例の換気装置のシステム構成を示す。
【図２】湿り空気の空気線図を示す。
【図３】第1実施例の換気システムのフローチャートを示す。
【図４】第1実施例の各送風ファンの送風方向と送風量を示す。
【図５】第２実施例の換気装置のシステム構成を示す。
【図６】第2実施例の換気システムのフローチャートを示す。
【図７】第2実施例の各送風ファンの送風方向と送風量のその１を示す。
【図８】第2実施例の各送風ファンの送風方向と送風量のその２を示す。
【図９】第３実施例の換気装置のシステム構成を示す。
【図１０】第３実施例の換気システムのフローチャートを示す。
【図１１】汚染室が１室含まれる場合の換気経路を示す。
【図１２】汚染室が２室以上含まれる場合の換気経路を示す。
【図１３】上位の清浄室が、連続する汚染室より多数である場合の換気経路を示す。
【図１４】上位の清浄室が、連続する汚染室より少数である場合の換気経路を示す。
【図１５】第３実施例の各送風ファンの送風方向と送風量のその１を示す。
【図１６】第３実施例の各送風ファンの送風方向と送風量のその２を示す。
【符号の説明】
【００１８】
ＩＦ００１、ＩＦ００２、ＩＦ００３；双方向の室間送風ファン
ＩＦ００４、ＩＦ００５、ＩＦ００６、ＢＦ００１；排気ファン
４Ａ、４Ｂ、４Ｃ；温度センサ
６Ａ、６Ｂ、６Ｃ；湿度センサ
８；比エンタルピー計算装置
１０；比エンタルピーによる室の序列づけ手段
１２；換気経路決定エンジン
１４；制御装置
【図１】
2006064312.tif 000003
【図２】
2006064312.tif 000004
【図３】
2006064312.tif 000005
【図４】
2006064312.tif 000006
【図５】
2006064312.tif 000007
【図６】
2006064312.tif 000008
【図７】
2006064312.tif 000009
【図８】
2006064312.tif 000010
【図９】
2006064312.tif 000011
【図１０】
2006064312.tif 000012
【図１１】
2006064312.tif 000013
【図１２】
2006064312.tif 000014
【図１３】
2006064312.tif 000015
【図１４】
2006064312.tif 000016
【図１５】
2006064312.tif 000017
【図１６】
2006064312.tif 000018